(57)【要約】【課題】印刷先のプリントサーバをユーザにとってわかりやすい場所名で指定可能とする。【解決手段】ジョブ受信手段１０は、第１の場所名が送信先として記述されているジョブをクライアントから受信する。アドレス変換手段２２は、第１の場所名から、プリンタの論理アドレスとプリンタが設置してある第２の場所名とを取得する。ジョブ送信手段４０は、論理アドレスにジョブを送信する。検索結果通知手段５０は、第２の場所名をクライアントに通知する。【選択図】図１３
2006180538.tif 000002
【特許請求の範囲】
【請求項１】
アドレス変換を行うアドレス変換サーバにおいて、
第１の場所名が送信先として記述されているジョブをクライアントから受信するジョブ受信手段と、
前記第１の場所名から、プリンタの論理アドレスと前記プリンタが設置してある第２の場所名とを取得するアドレス変換手段と、
前記論理アドレスに前記ジョブを送信するジョブ送信手段と、
前記第２の場所名をクライアントに通知する検索結果通知手段と、
を有することを特徴とするアドレス変換サーバ。
【発明の詳細な説明】
【技術分野】
【０００１】
本発明はアドレス変換サーバに関し、特にクライアントとプリントサーバが結合したネットワーク上でアドレス変換を行うアドレス変換サーバに関する。
【背景技術】
【０００２】
現在、インターネットのような広域ネットワークの普及にともない、ネットワーク経由でプリントジョブを受け付けるようなプリントショップや、企業内でのＦＡＸの代わりに遠隔地の相手先のプリンタに直接印刷するようなネットワークシステムの開発技術が進んでいる。
【０００３】
このようなネットワーク上で印刷を行う場合は、ネットワークに接続されたプリントサーバを指定することにより該当するプリンタが使用できる。したがって、利用可能な複数のプリントサーバのアドレスを管理しなければならない。プリントサーバのアドレス管理技術に関しては、例えば特開平６−２９０００８号公報ではプリントサーバを集中管理するメインサーバを設けて、プリントサーバのアドレスを一括管理している。
【発明の開示】
【発明が解決しようとする課題】
【０００４】
しかし、上記のような従来技術では、メインサーバが管理するアドレスは論理アドレスのみであるため、クライアントからメインサーバ経由でプリントサーバを指定する場合には、指定したいプリントサーバの論理アドレスを知る必要があった。
【０００５】
例えば、Ａビルの秘書課にあるプリントサーバで印刷を実行したい場合、“Ａビルの秘書課”というような場所名を直接メインサーバに指定するのではなくて、ＴＣＰ／ＩＰ接続されたプリンタのＩＰアドレス、またはＷｉｎｄｏｗｓ（登録商標）が管理しているプリンタ名等を指定しなければならない。このようにユーザはプリントサーバの論理アドレスやネットワークトポロジーを把握してプリントサーバを指定する必要があるため、非常に不便であった。
【０００６】
本発明はこのような点に鑑みてなされたものであり、印刷先のプリントサーバをユーザにとってわかりやすい場所名で指定できるアドレス変換サーバを提供することを目的とする。
【課題を解決するための手段】
【０００７】
本発明では上記課題を解決するために、アドレス変換を行うアドレス変換サーバにおいて、第１の場所名が送信先として記述されているジョブをクライアントから受信するジョブ受信手段と、前記第１の場所名から、プリンタの論理アドレスと前記プリンタが設置してある第２の場所名とを取得するアドレス変換手段と、前記論理アドレスに前記ジョブを送信するジョブ送信手段と、前記第２の場所名をクライアントに通知する検索結果通知手段と、を有することを特徴とするアドレス変換サーバが提供される。
【０００８】
ここで、ジョブ受信手段は、第１の場所名が送信先として記述されているジョブをクライアントから受信する。アドレス変換手段は、第１の場所名から、プリンタの論理アドレスとプリンタが設置してある第２の場所名とを取得する。ジョブ送信手段は、論理アドレスにジョブを送信する。検索結果通知手段は、第２の場所名をクライアントに通知する。
【発明の効果】
【０００９】
アドレス変換サーバは、クライアントから受信したジョブに記述されている場所名を論理アドレスに変換してプリントサーバにジョブを送信する構成とした。これによりユーザにとってわかりやすい場所名で印刷先を指定することができ、プリントサービスの向上を図ることが可能になる。
【発明を実施するための最良の形態】
【００１０】
以下、本発明の実施の形態を図面を参照して説明する。なお、本発明のアドレス変換サーバは図１３〜図１６に示す第３の実施の形態に該当するものであり、第１、第２の実施の形態は参考例として示す。
【００１１】
図１は、アドレス変換サーバを備えたネットワークシステムの原理図である。ネットワーク４上にアドレス変換サーバ１とクライアント２及びプリントサーバ３が接続している。
【００１２】
ジョブ受信手段１０は、プリントサーバ３が設置している場所の場所名が送信先として記述されているジョブをクライアント２から受信する。アドレス変換情報蓄積手段３０は、プリントサーバ３が設置している場所の場所名とそのプリントサーバ３の論理アドレスとを対応させたアドレス変換情報を蓄積する。
【００１３】
アドレス変換手段２０は、アドレス変換情報にもとづいて場所名を論理アドレスに変換する。ジョブ送信手段４０は、場所名から変換された論理アドレスに対応するプリントサーバ３にジョブを送信する。
【００１４】
次に、動作について説明する。図２は、アドレス変換サーバ１の動作手順を示すフローチャートである。
〔Ｓ１〕ジョブ受信手段１０は、プリントサーバ３が設置している場所の場所名が送信先として記述されているジョブをクライアント２から受信する。
〔Ｓ２〕アドレス変換手段２０は、プリントサーバ３が設置している場所の場所名と、そのプリントサーバ３の論理アドレスとを対応させたアドレス変換情報にもとづいて、場所名を論理アドレスに変換する。
〔Ｓ３〕ジョブ送信手段４０は、論理アドレスに対応するプリントサーバ３にジョブを送信する。
【００１５】
次に、第１の実施の形態について説明する。第１の実施の形態は、プリントサーバ３が設置している場所の場所名が、プリントショップの名前で指定されている場合である。図３は、第１の実施の形態の構成図である。ネットワーク４上にアドレス変換サーバ１ａとクライアント２及びプリントサーバ３が接続している。
【００１６】
ジョブ受信手段１０は、プリントショップ３ａの名前が送信先として記述されているジョブをクライアント２から受信する。アドレス変換情報蓄積手段３１は、プリントショップ３ａの名前とそのプリントショップ３ａ内にあるプリントサーバ３の論理アドレスとを対応させたアドレス変換情報を蓄積する。ここでのアドレス変換情報は後述するプリンタリスト３１ａである。
【００１７】
アドレス変換手段２０は、このプリンタリスト３１ａにもとづいてプリントショップ３ａの名前を論理アドレスへ変換する。ジョブ送信手段４０は、プリントショップ３ａの名前から変換された論理アドレスに対応するプリントサーバ３にジョブを送信する。
【００１８】
次に、プリンタリスト３１ａについて説明する。図４は、プリンタリスト３１ａの構成図である。プリンタリスト３１ａは、論理アドレス、プリントショップ名から構成される。
【００１９】
論理アドレスは、プリントサーバ３の論理アドレスである。プリントショップ名は、そのプリントサーバ３が設置しているショップの名前である。
例えばＮＯ．１に登録されているプリントサーバは、論理アドレスが１２３．１２３．１２３．ｘｘｘで、プリントショップ名はＡである。以降同様なので説明は省略する。
【００２０】
次に、第１の実施の形態の動作について説明する。図５は、第１の実施の形態の動作手順を示すフローチャートである。
〔Ｓ１０〕ジョブ受信手段１０は、プリントサーバ３が設置しているプリントショップ３ａの名前Ａが記述されているジョブをクライアント２から受信する。
〔Ｓ１１〕アドレス変換手段２０は、プリントショップ３ａの名前Ａと、プリントショップ３ａ内にあるプリントサーバ３の論理アドレスとを対応させたプリンタリスト３１ａにもとづいて、プリントショップ３ａの名前Ａを論理アドレス１２３．１２３．１２３．ｘｘｘに変換する。
〔Ｓ１２〕ジョブ送信手段４０は、論理アドレス１２３．１２３．１２３．ｘｘｘであるプリントサーバ３にジョブを送信する。
【００２１】
以上説明したように、第１の実施の形態は、クライアント２から受信したジョブに記述されているプリントショップ名を論理アドレスに変換して、プリントサーバ３にジョブを送信する構成とした。これによりプリントサーバ３が設置しているプリントショップ名で印刷先を指定することが可能になる。
【００２２】
なお、上記の説明ではプリントサーバが設置している場所をプリントショップとしてプリントショップ名で印刷先を指定したが、その他の場所名、例えば“Ａビルの秘書課”など、１つのビル内の各フロアを印刷先として指定してもよい。
【００２３】
次に、第２の実施の形態について説明する。第２の実施の形態は、プリントサーバ３が設置している場所の場所名が、地名で指定されている場合である。図６は、第２の実施の形態の構成図である。ネットワーク４上にアドレス変換サーバ１ｂとクライアント２及びプリントサーバ３が接続している。
【００２４】
ジョブ受信手段１０は、プリントサーバ３が設置している場所の地名ＡＡ市ＢＢ区ＣＣ１−３が送信先として記述されているジョブをクライアント２から受信する。アドレス変換情報蓄積手段３２は、地名と、その地名内に設置しているプリントサーバ３の論理アドレスとを対応させたアドレス変換情報を蓄積する。ここではアドレス変換情報は、後述するプリンタリスト３２ａと数値地図３２ｂである。
【００２５】
アドレス変換手段２１は、経緯情報取得手段２１ａと論理アドレス取得手段２１ｂとからなる。経緯情報取得手段２１ａは、数値地図３２ｂを用いて地名の場所を代表する代表地点の経緯情報を取得する。論理アドレス取得手段２１ｂは、プリンタリスト３２ａを用いてその経緯情報から論理アドレスを取得する。
【００２６】
ジョブ送信手段４０は、地名から変換された論理アドレスに対応するプリントサーバ３にジョブを送信する。
次に、数値地図３２ｂについて説明する。図７は、数値地図３２ｂの構成図である。数値地図３２ｂは、地名と経緯情報とから構成される。地名は、クライアント２が作成したジョブに記述されている地名であり、ここではＡＡ市ＢＢ区ＣＣ１−３である。経緯情報は、その地名を持つ場所を代表する代表地点の経緯情報である。
【００２７】
例えば、ＮＯ．３の地名はＡＡ市ＢＢ区ＣＣ１−３であり、その代表地点の経緯情報はＮ４０．２２７、Ｅ１４０．１３４である。以降同様なので説明は省略する。
次に、プリンタリスト３２ａについて説明する。図８は、プリンタリスト３２ａの構成図である。プリンタリスト３２ａは、論理アドレス、経緯データから構成される。
【００２８】
論理アドレスは、プリントサーバ３の論理アドレスである。経緯データは、プリントサーバ３が設置している場所の経緯である。
例えばＮＯ．１に登録されているプリントサーバは、論理アドレスが１２３．１２３．１２３．ｘｘｘで、経緯データはＮ４０．２２９−Ｅ１４０．１３６である。以降同様なので説明は省略する。
【００２９】
次に、上述したプリンタリスト３２ａと数値地図３２ｂとを作成する際に使用した参照地図について説明する。図９は、参照地図の概略を示す図である。緯度がＮ４０．２２０からＮ４０．２５０、経度がＥ１４０．１２０からＥ１４０．１６０までの範囲を示す地図である。そして、地図上の黒丸が数値地図代表地点であり、二重丸がプリントショップが存在する地点を示す。
【００３０】
次に、第２の実施の形態の動作について説明する。図１０は、第２の実施の形態の動作手順を示すフローチャートである。
〔Ｓ２０〕ジョブ受信手段１０は、プリントサーバ３が設置している場所の地名ＡＡ市ＢＢ区ＣＣ１−３が記述されているジョブをクライアント２から受信する。
〔Ｓ２１〕経緯情報取得手段２１ａは、数値地図３２ｂを用いて地名ＡＡ市ＢＢ区ＣＣ１−３を代表する位置の経緯情報Ｎ４０．２２７、Ｅ１４０．１３４を取得する。
〔Ｓ２２〕論理アドレス取得手段２１ｂは、プリンタリスト３２ａを用いて経緯情報Ｎ４０．２２７、Ｅ１４０．１３４に最も距離的に近い経緯データＮ４０．２２９、Ｅ１４０．１３６を求める。そして、その経緯データに対応する論理アドレス１２３．１２３．１２３．ｘｘｘを取得する。
〔Ｓ２３〕ジョブ送信手段４０は、論理アドレス１２３．１２３．１２３．ｘｘｘに対応するプリントサーバ３にジョブを送信する。
【００３１】
次に、経緯情報取得手段２１ａについて説明する。図１１は、経緯情報取得手段２１ａの処理手順を示すフローチャートである。
〔Ｓ３０〕Ｘに１を設定する。
〔Ｓ３１〕数値地図３２ｂからＮＯ．Ｘの項目があるかどうかを判断する。ＮＯ．Ｘの項目がある場合はステップＳ３３へ、ない場合はステップＳ３２へ行く。
〔Ｓ３２〕エラーと判断し終了する。
〔Ｓ３３〕数値地図３２ｂのＮＯ．Ｘの地名とクライアント２が指定した地名とが一致するかどうかを比較する。一致する場合はステップＳ３４へ、一致しない場合はステップＳ３５へ行く。
〔Ｓ３４〕経緯情報を取得する。
〔Ｓ３５〕Ｘに１を加算したものをＸとし、ステップＳ３１へ戻る。
【００３２】
次に、論理アドレス取得手段２１ｂについて説明する。図１２は、論理アドレス取得手段２１ｂの処理手順を示すフローチャートである。
〔Ｓ４０〕Ｙに１を設定し、ｄに∞を設定する。
〔Ｓ４１〕経緯情報とプリンタリスト３２ａのＹ番目の経緯データとの距離ｄ０を計算する。
〔Ｓ４２〕ｄとｄ０との距離の長さを比較する。ｄの方がｄ０より大きい場合はステップＳ４３へ、そうでない場合はステップＳ４４へ行く。
〔Ｓ４３〕ｄ０をｄに設定する。
〔Ｓ４４〕すべてのＹが終了したかどうかを調べる。終了した場合はステップＳ４５へ、そうでない場合はステップＳ４６へ行く。
〔Ｓ４５〕距離の最も短い経緯データに対応する論理アドレスを取得する。
〔Ｓ４６〕Ｙに１を加算した値をＹとし、ステップＳ４１へ戻る。
【００３３】
以上説明したように、第２の実施の形態は、クライアント２から受信したジョブに記述されている地名を論理アドレスに変換して、プリントサーバ３にジョブを送信する構成とした。これによりプリントサーバ３が設置している地名で印刷先を指定することができ、その地名の範囲内のプリントサーバを自動的に見つけ出すことが可能になる。また、地名といった広い曖昧な指定に対しても最適プリントサーバを指定することが可能になる。
【００３４】
次に、第３の実施の形態について説明する。第３の実施の形態は、プリントサーバ３が設置している場所を地名で指定した際に、その検索結果をクライアント２に表示する場合である。
【００３５】
図１３は、第３の実施の形態の構成図である。ネットワーク４上にアドレス変換サーバ１ｃとクライアント２及びプリントサーバ３が接続している。
ジョブ受信手段１０は、プリントサーバ３が設置している場所の地名ＡＡ市ＢＢ区ＣＣ１−３が送信先として記述されているジョブをクライアント２から受信する。アドレス変換情報蓄積手段３３は、地名と、その地名内に設置しているプリントサーバ３の論理アドレスとを対応させたアドレス変換情報を蓄積する。ここではアドレス変換情報は、後述するプリンタリスト３３ａと、上記で説明した数値地図３２ｂである。
【００３６】
アドレス変換手段２２は、経緯情報取得手段２１ａと送信先取得手段２２ａとからなる。経緯情報取得手段２１ａは、数値地図３２ｂを用いて地名の場所を代表する代表地点の経緯情報を取得する。送信先取得手段２２ａは、プリンタリスト３３ａを用いてその経緯情報から論理アドレス及びその論理アドレスに対応する場所名を取得する。
【００３７】
検索結果通知手段５０は、取得した論理アドレスに対応するプリントサーバ３が設置している場所名、ここではプリントショップ名をクライアント２に通知する。
ジョブ送信手段４０は、地名から変換された論理アドレスに対応するプリントサーバ３にジョブを送信する。
【００３８】
次に、プリンタリスト３３ａについて説明する。図１４は、プリンタリスト３３ａの構成図である。プリンタリスト３３ａは、論理アドレス、経緯データ及びプリントショップ名から構成される。
【００３９】
論理アドレスは、プリントサーバ３の論理アドレスである。経緯データは、プリントサーバ３が設置している場所の経緯である。プリントショップ名は、そのプリントサーバ３が設置している場所のプリントショップ名である。
【００４０】
例えばＮＯ．１に登録されているプリントサーバは、論理アドレスが１２３．１２３．１２３．ｘｘｘで、経緯データはＮ４０．２２９−Ｅ１４０．１３６、プリントショップ名がＡである。以降同様なので説明は省略する。
【００４１】
次に、第３の実施の形態の動作について説明する。図１５は、第３の実施の形態の動作手順を示すフローチャートである。
〔Ｓ５０〕ジョブ受信手段１０は、プリントサーバ３が設置している場所の地名ＡＡ市ＢＢ区ＣＣ１−３が記述されているジョブをクライアント２から受信する。
〔Ｓ５１〕経緯情報取得手段２１ａは、数値地図３２ｂを用いて地名ＡＡ市ＢＢ区ＣＣ１−３を代表する位置の経緯情報Ｎ４０．２２７−Ｅ１４０．１３４を取得する。
〔Ｓ５２〕送信先取得手段２２ａは、プリンタリスト３３ａを用いて経緯情報Ｎ４０．２２７、Ｅ１４０．１３４に最も距離的に近い経緯データＮ４０．２２９−Ｅ１４０．１３６を求める。そして、その経緯データに対応する論理アドレス１２３．１２３．１２３．ｘｘｘと対応するプリントショップ名Ａとを取得する。
〔Ｓ５３〕検索結果通知手段５０は、論理アドレス１２３．１２３．１２３．ｘｘｘに対応するプリントショップ名Ａをクライアント２に通知する。
〔Ｓ５４〕ジョブ送信手段４０は、論理アドレス１２３．１２３．１２３．ｘｘｘに対応するプリントサーバ３にジョブを送信する。
【００４２】
図１６は、クライアント２の表示画面を示す図である。表示画面にはプリントショップの検索２ａと検索結果２ｂが表示される。プリントショップの検索２ａは、印刷出力したい地名を入力する画面である。ユーザは地名を入力後、検索開始ボタンを押す。図では地名ＡＡ市ＢＢ区ＣＣ１−３が入力されている。
【００４３】
検索結果２ｂは、検索後の結果を表示する画面である。図ではＡＡ市ＢＢ区ＣＣ１−３と、プリントショップ名Ａが表示されている。ユーザはこのプリントショップ名Ａを指定する場合は指定ボタンを押し、中止したい場合は中止ボタンを押す。
【００４４】
以上説明したように、第３の実施の形態は、クライアント２から受信したジョブに記述されている地名を論理アドレスに変換して、プリントサーバ３にジョブを送信し、その検索結果をクライアント２に通知する構成とした。これによりプリントサーバ３が設置してある地名で印刷先を指定することができ、さらにクライアント２で検索結果を知ることが可能になる。
【００４５】
上記の説明では、プリンタリスト３１ａ〜３３ａは、論理アドレスや経緯データ等のアドレス情報で構成したが、プリントサーバ３の各機能が記された機能リストを付加してもよい。またこの場合は、アドレス変換の制約条件は、上記で説明した距離の近さ以外にプリントサーバ３の機能も含める必要がある。
【図面の簡単な説明】
【００４６】
【図１】アドレス変換サーバを備えたネットワークシステムの原理図である。
【図２】アドレス変換サーバの動作手順を示すフローチャートである。
【図３】第１の実施の形態の構成図である。
【図４】プリンタリストの構成図である。
【図５】第１の実施の形態の動作手順を示すフローチャートである。
【図６】第２の実施の形態の構成図である。
【図７】数値地図の構成図である。
【図８】第２の実施の形態のプリンタリストの構成図である。
【図９】参照地図の概略を示す図である。
【図１０】第２の実施の形態の動作手順を示すフローチャートである。
【図１１】経緯情報取得手段の処理手順を示すフローチャートである。
【図１２】論理アドレス取得手段の処理手順を示すフローチャートである。
【図１３】第３の実施の形態の構成図である。
【図１４】第３の実施の形態のプリンタリストの構成図である。
【図１５】第３の実施の形態の動作手順を示すフローチャートである。
【図１６】クライアントの表示画面を示す図である。
【符号の説明】
【００４７】
１  アドレス変換サーバ
２  クライアント
３  プリントサーバ
４  ネットワーク
１０  ジョブ受信手段
２０  アドレス変換手段
３０  アドレス変換情報蓄積手段
４０  ジョブ送信手段
【図１】
2006180538.tif 000003
【図２】
2006180538.tif 000004
【図３】
2006180538.tif 000005
【図４】
2006180538.tif 000006
【図５】
2006180538.tif 000007
【図６】
2006180538.tif 000008
【図７】
2006180538.tif 000009
【図８】
2006180538.tif 000010
【図９】
2006180538.tif 000011
【図１０】
2006180538.tif 000012
【図１１】
2006180538.tif 000013
【図１２】
2006180538.tif 000014
【図１３】
2006180538.tif 000015
【図１４】
2006180538.tif 000016
【図１５】
2006180538.tif 000017
【図１６】
2006180538.tif 000018
【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
第１の場所名をクライアントから受信する場所名受信手段と、
前記場所名受信手段により受信された前記第１の場所名から、ジョブの送信先となるプリンタが設置されている第２の場所名に変換する変換手段と、
前記変換手段により変換された前記第２の場所名をクライアントに通知する通知手段と、
を有することを特徴とするサーバ。
【請求項２】
前記変換手段は、
前記第１の場所名により示される場所内に設置されているプリンタの中からジョブの送信先となるプリンタを特定し、
特定されたプリンタが設置されている前記第２の場所名に変換する、
ことを特徴とする請求項１記載のサーバ。
【請求項３】
ジョブを受信するジョブ受信手段と、
前記ジョブ受信手段により受信されたジョブを、前記第２の場所名で示されるプリンタに送信するジョブ送信手段と、
を有することを特徴とする請求項１記載のサーバ。
【請求項４】
前記第１の場所名は、
ジョブ受信手段により受信されるジョブに含まれている、
ことを特徴とする請求項１記載のサーバ。
【請求項５】
前記変換手段は、
さらに前記第１の場所名をジョブの送信先となるプリンタの論理アドレスに変換することを特徴とする請求項１記載のサーバ。
【請求項６】
ジョブ受信手段より受信されたジョブを、前記論理アドレスに送信するジョブ送信手段とを有することを特徴とする請求項５記載のサーバ。
【請求項７】
第１の場所名を送信先として、ジョブをクライアントから受信するジョブ受信手段と、
前記第１の場所名と該第１の場所名に対応する第１の位置情報とから構成される第１の変換情報を蓄積する第１の変換情報蓄積手段と、
プリンタの論理アドレスと該プリンタが設置してある第２の場所名と該第２の場所名に対応する第２の位置情報とから構成される第２の変換情報を蓄積する第２の変換情報蓄積手段と、
前記第１の位置情報と前記第２の位置情報とに基づいて、前記第１の場所名に距離的に近いプリンタの前記論理アドレスと該プリンタが設置してある前記第２の場所名とを取得するアドレス変換手段と、
前記論理アドレスにジョブを送信するジョブ送信手段と、
前記第２の場所名をクライアントに通知する検索結果通知手段と、
を有することを特徴とするサーバ。
【請求項８】
場所名受信手段が第１の場所名をクライアントから受信するステップと、
変換手段が受信された前記第１の場所名から、ジョブの送信先となるプリンタが設置されている第２の場所名に変換するステップと、
通知手段が変換された前記第２の場所名をクライアントに通知するステップと、
を有することを特徴とする変換方法。
【請求項９】
前記第１の場所名により示される場所内に設置されているプリンタの中からジョブの送信先となるプリンタを特定し、
特定されたプリンタが設置されている第２の場所名に変換する、
ことを特徴とする請求項８記載の変換方法。
【請求項１０】
変換情報蓄積手段が、第１の場所名と該第１の場所名に対応する第１の位置情報とから構成される第１の変換情報とプリンタの論理アドレスと該プリンタが設置してある第２の場所名と該第２の場所名に対応する第２の位置情報とから構成される第２の変換情報とを蓄積するステップと、
ジョブ受信手段が、前記第１の場所名を送信先として、ジョブをクライアントから受信するステップと、
アドレス変換手段が、前記第１の位置情報と前記第２の位置情報とに基づいて、前記第１の場所名に距離的に近いプリンタの前記論理アドレスと該プリンタが設置してある前記第２の場所名とを取得するステップと、
ジョブ送信手段が、前記論理アドレスにジョブを送信するステップと、
検索結果通知手段が、前記第２の場所名をクライアントに通知するステップと、
を有することを特徴とする変換方法。
【手続補正３】
【補正対象書類名】明細書
【補正対象項目名】０００１
【補正方法】変更
【補正の内容】
【０００１】
本発明はサーバ及び変換方法に関し、特にプリントを行う場所を指定するサーバ及びプリントを行う場所の変換を行う変換方法に関する。
【手続補正４】
【補正対象書類名】明細書
【補正対象項目名】０００６
【補正方法】変更
【補正の内容】
【０００６】
本発明はこのような点に鑑みてなされたものであり、印刷先のプリントサーバをユーザにとってわかりやすい場所名で指定できるサーバを提供することを目的とする。
また、本発明の他の目的は、プリンタの設置場所の変換を行って、印刷先のプリントサーバをユーザにとってわかりやすい場所名で指定できる変換方法を提供することである。
【手続補正５】
【補正対象書類名】明細書
【補正対象項目名】０００７
【補正方法】変更
【補正の内容】
【０００７】
本発明では上記課題を解決するために、第１の場所名をクライアントから受信する場所名受信手段と、前記場所名受信手段により受信された前記第１の場所名から、ジョブの送信先となるプリンタが設置されている第２の場所名に変換する変換手段と、前記変換手段により変換された前記第２の場所名をクライアントに通知する通知手段と、を有することを特徴とするサーバが提供される。
【手続補正６】
【補正対象書類名】明細書
【補正対象項目名】０００８
【補正方法】変更
【補正の内容】
【０００８】
ここで、場所名受信手段は、第１の場所名をクライアントから受信する。変換手段は、場所名受信手段により受信された第１の場所名から、ジョブの送信先となるプリンタが設置されている第２の場所名に変換する。通知手段は、変換手段により変換された第２の場所名をクライアントに通知する。
【手続補正７】
【補正対象書類名】明細書
【補正対象項目名】０００９
【補正方法】変更
【補正の内容】
【０００９】
サーバは、第１の場所名をクライアントから受信し、第１の場所名から、ジョブの送信先となるプリンタが設置されている第２の場所名に変換し、変換された第２の場所名をクライアントに通知する構成とした。これによりユーザにとってわかりやすい場所名で印刷先を指定することができ、プリントサービスの向上を図ることが可能になる。